(57)【要約】【課題】  シャフトの長手方向の先端にシャフトと同じ太さあるいはシャフトより細いネジ穂先を備えるネジ回具を用いた場合でも、作業者が、ネジ止め及びネジ外し作業を効率的に行うことを可能とするネジ回用用具、及び、ネジ回用セット具を提供する。【解決手段】  このネジ回用用具５は、他端側から嵌挿されたシャフト３０を、一端側に嵌挿されたネジのヘッド部のスリワリに対しネジ穂先３２の先端が噛み合う噛合位置まで嵌挿可能に形成されている。そのため、このネジ回用用具５が取り付けられた太型ドライバ３を用いれば、ネジに指を添えなくても、ネジを落下させることなくネジ止めあるいはネジ外し作業を行うことができる。従って、このネジ回用用具５を用いると、太型ドライバ３を用いた場合でも、作業者は、ネジ止め及びネジ外し作業を効率的に行うことができる為に、ネジ回用セット具で、ネジ回用用具をシャフト、ビットに取り付けができる。【選択図】  図１
2007296600.tif 000002
【特許請求の範囲】
【請求項１】
シャフトの長手方向の先端に前記シャフトと同じ太さあるいは前記シャフトより細いネジ穂先が形成されたネジ回具に対し、前記シャフトの先端に取り付けられて用いられる筒状に形成されたネジ回用用具であって、
前記筒の軸方向の一端側は、予め定められたネジのヘッド部を嵌挿可能な形状に形成され、
前記軸方向の他端側は、前記シャフトを嵌挿可能な形状に形成されているとともに、前記他端側から嵌挿された前記シャフトを、前記一端側に嵌挿された前記ネジのヘッド部のスリワリに対し前記ネジ穂先の先端が噛み合ったときに位置する嵌挿位置まで嵌挿可能な形状に形成されていることを特徴とするネジ回用用具。
【請求項２】
請求項１に記載のネジ回用用具において、
前記嵌挿位置に到達した前記シャフトに当接して、前記シャフトの前記一端側への進入を規制する規制部が内部壁面に形成されていることを特徴とするネジ回用用具。
【請求項３】
請求項１〜２のいずれかに記載のネジ回用用具において、
前記シャフトの長手方向の後端に前記シャフトより太い大径部を備えている前記ネジ回具の前記シャフトが前記嵌挿位置に達したときに、前記他端側の端部が前記大径部に当接して、前記シャフトの前記一端側への進入を規制可能な大きさに形成されていることを特徴とするネジ回用用具。
【請求項４】
請求項１〜３の何れかに記載のネジ回用用具と、
前記ネジ回用用具の前記一端側から前記ネジ回用用具内に嵌挿されたときに、前記一端側に嵌挿された前記ネジのヘッド部のスリワリに対し前記ネジ穂先の先端が噛み合う噛合位置まで嵌挿可能な厚みを有する調整部、及び、この調整部が固定され、前記調整部が前記噛合位置まで嵌挿されたときに、前記ネジ回用用具の前記一端側の端部に当接可能な大きさに少なくとも形成された台座部を有するセット補助具と
を備えることを特徴とするネジ回用セット具。
【請求項５】
請求項４記載のネジ回用セット具において、
前記セット補助具の前記台座部は、台紙であることを特徴とするネジ回用セット具。
【発明の詳細な説明】
【技術分野】
【０００１】
本発明は、シャフトの長手方向の先端にシャフトと同じ太さあるいはシャフトより細いネジ穂先を備えるネジ回具で用いられるネジ回用用具、及び、このネジ回用用具を備えるネジ回用セット具に関する。
【背景技術】
【０００２】
内線系の電気工事では、電力計などネジを多く備えた電気機器を取り付ける工事が行われ、ネジを締めるための道具としてドライバが用いられている。
このドライバには、機能や形や色などが異なる多くの種類のものがあるが、近年では、作業の安全性を向上するため、絶縁機能を備えたドライバが広く用いられるようになってきている。
【０００３】
この絶縁機能を備えたドライバは、シャフトに絶縁パイプが内蔵されている。そのため、このドライバは、シャフトが通常のものよりも太い構造となっている。また、このドライバのシャフトの先端には、ネジ穂先が形成されているが、このネジ穂先は、シャフトより小径状に形成されている。
【発明の開示】
【発明が解決しようとする課題】
【０００４】
ところで、ドライバを用いてネジを止めるとき、作業者は、まず、ネジ穂先の先端をネジ１００（図５参照）のヘッド部１０１に形成されたスリワリ１０２に噛み合わせた状態とし、その後、ネジ１００に指を添えながらドライバとネジ１００とを、ネジ１００がネジ孔に当たる位置まで移動する。そして、作業者は、ドライバを回して、ネジ１００がある程度ネジ孔に螺入されたらネジ１００に添えていた指を外し、ドライバをさらに回して、ネジ１００をネジ孔に螺合させていた。このネジ止め作業をするとき、ネジ１００を止める部分が狭いと、ネジ１００がネジ孔に当たるところに指を持って行くことができず、ネジ１００がネジ孔に上手く当たらずに、ネジ１００がネジ穂先の先端から外れて落ちてしまうことがあった。また、ネジ１００を外したときも、ネジ１００がネジ孔から外れた瞬間に、ネジ１００がネジ穂先の先端から外れて落ちてしまうことがあった。
【０００５】
特に、上述したシャフト部分に絶縁パイプを備えたドライバのように、シャフトが太いドライバを用いてネジ止めやネジ外しの作業をする場合、作業者は、ネジ１００に指を添えようとしても、シャフトが邪魔をしてネジ１００に指を添えることができないことが多い。そのため、シャフトが太いドライバを用いてネジ止めやネジ外しの作業をした場合は、他のドライバを用いた場合よりもネジ１００を落下させてしまうことが多く、他のドライバを用いた場合に比べて、ネジ止め及びネジ外し作業を効率的に行うことができない、という問題があった。
【０００６】
そこで本発明では、上述した問題点を解決し、シャフトの長手方向の先端にシャフトと同じ太さあるいはシャフトより細いネジ穂先を備えるネジ回具（以下「太型ネジ回具」という）を用いた場合でも、作業者が、ネジ止め及びネジ外し作業を効率的に行うことを可能とするネジ回用用具、及び、このネジ回用用具を備えるネジ回用セット具を提供することを目的とする。
【課題を解決するための手段】
【０００７】
上述した問題を解決するためになされた発明である請求項１記載の発明は、シャフトの長手方向の先端に前記シャフトと同じ太さあるいは前記シャフトより細いネジ穂先が形成されたネジ回具に対し、前記シャフトの先端に取り付けられて用いられる筒状に形成されたネジ回用用具であって、前記筒の軸方向の一端側は、予め定められたネジのヘッド部を嵌挿可能な形状に形成され、前記軸方向の他端側は、前記シャフトを嵌挿可能な形状に形成されているとともに、前記他端側から嵌挿された前記シャフトを、前記一端側に嵌挿された前記ネジのヘッド部のスリワリに対し前記ネジ穂先の先端が噛み合ったときに位置する嵌挿位置まで嵌挿可能な形状に形成されていることを特徴とする。
【０００８】
このネジ回用用具は、他端側から嵌挿されたシャフトを、一端側に嵌挿されたネジのヘッド部のスリワリに対しネジ穂先の先端が噛み合ったときに位置する嵌挿位置まで嵌挿可能に形成されているので、太型ネジ回具に取り付けられるときは、シャフトが嵌挿位置に位置するように取り付けられる。そして、このネジ回用用具が取り付けられた太型ネジ回具のネジ穂先の先端にネジを当てると、ネジのヘッド部がネジ回用用具に嵌挿されるとともに、ネジのスリワリがネジ穂先の先端に嵌挿位置で噛み合わされ、ネジは、太型ネジ回具によりネジを回す作業が可能な状態でネジ穂先の先端に保持される。そのため、このネジ回用用具が取り付けられた太型ネジ回具を用いれば、ネジに指を添えなくても、ネジを落下させることなくネジ止めあるいはネジ外し作業を行うことができる。
【０００９】
従って、このネジ回用用具を用いると、太型ネジ回具を用いた場合でも、作業者は、ネジ止め及びネジ外し作業を効率的に行うことができる。
請求項２に記載したように、ネジ回用用具は、嵌挿位置に到達したシャフトに当接して、シャフトの一端側への進入を規制する規制部が内部壁面に形成されていてもよい。
【００１０】
このネジ回用用具は、規制部に当接する位置までシャフトを嵌挿するだけで、シャフトが嵌挿位置に配置されるように、ネジ回具に取り付けることができる。
請求項３に記載したように、ネジ回用用具は、シャフトの長手方向の後端にシャフトより太い大径部を備えているネジ回具のシャフトが嵌挿位置に達したときに、他端側の端部が大径部に当接して、シャフトの一端側への進入を規制可能な大きさに形成されていてもよい。
【００１１】
このネジ回用用具は、他端側の端部が大径部に当接する位置までシャフトを挿入するだけで、シャフトが嵌挿位置に配置されるように、ネジ回具に取り付けることができる。
ところで、わが国は近年、輸入が拡大し、外国で製造されたものが輸入されることが多くなっている。上述した絶縁パイプを備えたドライバも例外ではなく、このドライバを始めとするネジ回具は、例えば、中国や東南アジアなどで製造され、輸入されることが多くなっている。
【００１２】
しかし、外国で製造されるネジ回具は、同じ規格のネジ回具でも、ネジ穂先の長さが規定のものよりも長いものもある。このような場合、本発明のネジ回用用具を太型ネジ回具のシャフトの先端に取り付けたとしても、ネジ穂先の先端が、ネジ回用用具の外にはみ出してしまうこともあった。
【００１３】
そこで、請求項４以下では、規定より長いネジ穂先を有する太型ネジ回具であっても、ネジ穂先の先端がネジ回用用具に嵌合されたネジのヘッド部のスリワリと噛合する噛合位置に位置するように、ネジ回用用具を太型ネジ回具に取り付けることができるネジ回用セット具を提供する。
【００１４】
請求項４に記載されたネジ回用セット具では、請求項１〜３の何れかに記載のネジ回用用具と、前記ネジ回用用具の前記一端側から前記ネジ回用用具内に嵌挿されたときに、前記一端側に嵌挿された前記ネジのヘッド部のスリワリに対し前記ネジ穂先の先端が噛み合う噛合位置まで嵌挿可能な厚みを有する調整部、及び、この調整部が固定され、前記調整部が前記噛合位置まで嵌挿されたときに、前記ネジ回用用具の前記一端側の端部に当接可能な大きさに少なくとも形成された台座部を有するセット補助具とを備えることを特徴とする。
【００１５】
このネジ回用セット具では、台座部がネジ回用用具の一端側に当接するまで調整部をネジ回用用具に嵌挿すると、ネジのヘッド部のスリワリに対しネジ穂先の先端が噛み合う噛合位置に調整部が配置される。そのため、規格より長いネジ穂先を備える太型ネジ回具にネジ回用用具を取り付ける場合であっても、ネジ穂先の先端が調整部に当接するようにシャフトをネジ回用用具に挿入すれば、ネジ穂先の先端が噛合位置に配置された状態でシャフトを嵌挿させることができる。
【００１６】
従って、このネジ回用セット具を用いれば、規定より長いネジ穂先を有する太型ネジ回具であっても、ネジ穂先の先端が噛合位置に位置するように、ネジ回用用具を太型ネジ回具に取り付けることができる。
【００１７】
尚、請求項５に記載したように、セット補助具の台座部は、台紙であることが好ましい。
【発明を実施するための最良の形態】
【００１８】
以下、本発明を実施するための最良の形態について図面を用いて説明する。
＜第１実施形態＞
本実施形態のネジ回用セット具の第１実施形態について説明する。
【００１９】
ここで図１は、太型ドライバの平面図（一部透過図）で、（ａ）は規格通りの太型ドライバにネジ回用セット具を構成するネジ回用用具が取り付けられた様子を示す説明図、（ｂ）は、ネジ穂先が規格よりも長い太型ドライバにネジ回用用具が取り付けられた様子を示す説明図である。図２は、本実施形態のネジ回用セット具１の平面図で、（ａ）はネジ回用用具の一部透過図、（ｂ）はネジ回用セット具を構成するセット補助具の説明図、（ｃ）（ｄ）はセット補助具をネジ回用用具に取り付けたネジ回用セット具の一部透過図である。尚、図２（ａ）において、実線はネジ回用用具を外部構造の輪郭を示し、点線はネジ回用用具の内部構造の輪郭を示し、一点鎖線は太型ドライバを示し、二点鎖線はネジを示している。図２（ｃ）では、実線はネジ回用用具を外部構造を示し、点線はネジ回用用具の内部構造を示し、一点鎖線は太型ドライバを示し、二点鎖線はセット補助具を示している
[太型ドライバ３]
太型ドライバ３は、図１（ａ）に示すように、円柱状に形成されたシャフト３０の長手方向の先端に、シャフト３０より細いネジ穂先３２を備えている。また、太型ドライバ３は、シャフト３０の長手方向の後端に、シャフト３０より太い把持部３４を備えている。そしてこの太型ドライバ３は、シャフト３０の内部に図示しない絶縁用のパイプが備えられている。そのため、この太型ドライバ３は、一般のドライバに比べ径が太いシャフト３０を備えている。
[ネジ回用用具５]
本実施形態のネジ回用セット具１を構成するネジ回用用具５は、図２（ａ）に示すように、外部壁面に段差のある筒状に形成されている。そして、このネジ回用用具５の内部には、この筒の軸方向の一端側から他端側に向かって順に、ネジ１００のヘッド部１０１を嵌挿可能な第１筒部５０、ネジ穂先３２を挿通可能な第２筒部５２、シャフト３０を嵌挿可能な第３筒部５４が形成されている。そして、このネジ回用用具５では、これら各筒部５０〜５４が直列かつ同軸状に形成されて、ネジ回用用具５の内部空間を形成している。
【００２０】
また、第２筒部５２は、第１筒部５０及び第３筒部５４よりも小径状に形成されている。そのためこのネジ回用用具５は、各筒部５０〜５４の境界部分の内部壁面に段差が形成されている。この段差のうち、第１筒部５０と第２筒部５２との境界部分に形成される段差を第１段差５６、第２筒部５２と第３筒部５４との境界部分に形成される段差を第２段差５８と以下呼ぶ。
【００２１】
このうち、第２段差５８は、他端側から嵌挿されたシャフト３０を、一端側に嵌挿されたネジ１００のヘッド部１０１のスリワリ１０２に対しネジ穂先３２の先端が噛み合ったときに位置する嵌挿位置まで嵌挿したときに、シャフト３０の先端側端面に当接して、シャフト３０の一端側への進入を規制する位置に形成されている。そのため他端側からシャフト３０をネジ回用用具５に嵌挿すると、シャフト３０はネジ回用用具５に対し嵌挿位置まで嵌挿することができる。
【００２２】
第１段差５６は、ネジ１００のヘッド部１０１を嵌挿する位置を位置決めするための段差であり、ヘッド部１０１は、第１筒部５０に嵌挿されると、第１段差５６に当接して位置決めされる。
[セット補助具７]
ネジ回用セット具１を構成するセット補助具７は、図２（ｂ）に示すように、円盤状に形成された調整具７０と、台紙７２とで構成されている。
【００２３】
このうち調整具７０は、図２（ｃ）に示すように、ネジ回用用具５の一端側からネジ回用用具５内に嵌挿されたときに、一端側に嵌挿されたネジ１００のヘッド部１０１のスリワリ１０２に対しネジ穂先３２の先端が噛み合う噛合位置まで嵌挿可能な厚みを有する。
【００２４】
台紙７２は、調整具７０が表面側に貼着され、調整具７０が噛合位置まで嵌挿されたときに、ネジ回用用具５の一端側の端部に当接可能な大きさに形成されている。
[作用効果]
このネジ回用用具５は、他端側から嵌挿されたシャフト３０を、一端側に嵌挿されたネジ１００のヘッド部１０１のスリワリ１０２に対しネジ穂先３２の先端が噛み合ったときに位置する嵌挿位置まで嵌挿可能に形成されているので、太型ドライバ３に取り付けられるときは、シャフト３０が嵌挿位置に位置するように取り付けられる。そして、このネジ回用用具５が取り付けられた太型ドライバ３のネジ穂先の先端にネジ１００を当てると、ネジ１００のヘッド部１０１がネジ回用用具５に嵌挿されるとともに、ネジ１００のスリワリ１０２がネジ穂先３２の先端に噛み合わされ、ネジ１００は、太型ドライバ３によりネジ１００を回す作業が可能な状態でネジ穂先３２の先端に保持される。そのため、このネジ回用用具５が取り付けられた太型ドライバ３を用いれば、ネジ１００に指を添えなくても、ネジ１００を落下させることなくネジ止めあるいはネジ外し作業を行うことができる。
【００２５】
従って、このネジ回用用具５を用いると、太型ドライバ３を用いた場合でも、作業者は、ネジ止め及びネジ外し作業を効率的に行うことができる。
次に、ネジ回用用具５は、嵌挿位置に到達したシャフト３０に当接して、シャフト３０の一端側への進入を規制する第２段差５８が内部壁面に形成されている。
【００２６】
このネジ回用用具５は、第２段差５８に当接する位置までシャフト３０を嵌挿するだけで、シャフト３０が嵌挿位置に配置されるように、太型ドライバ３に取り付けることができる。
【００２７】
次に、このネジ回用セット具１では、図２（ｄ）に示すように、台紙７２がネジ回用用具５の一端側に当接するまで調整具７０をネジ回用用具５に嵌挿すると、噛合位置に調整具７０が配置される。そのため、規格より長いネジ穂先３２を備える太型ドライバ３にネジ回用用具５を取り付ける場合であっても、ネジ穂先３２の先端が調整具７０に当接するようにシャフト３０をネジ回用用具５に挿入すれば、ネジ穂先３２の先端が噛合位置に配置された状態でシャフト３０を嵌挿させることができる。
【００２８】
従って、このネジ回用セット具１を用いれば、規定より長いネジ穂先３２を有する太型ドライバ３であっても、ネジ穂先３２の先端が噛合位置に位置するように、ネジ回用用具５を太型ドライバ３に取り付けることができる。
【００２９】
尚、太型ドライバ３が、本発明のネジ回具に相当し、把持部３４が、本発明の大径部に相当し、第２段差５８が、本発明の規制部に相当し、調整具７０が、本発明の調整部に相当する。
＜第２実施形態＞
次に、本実施形態のネジ回用セット具１の第２実施形態について説明する。
【００３０】
ここで図３（ａ）は、ビットの平面図、図３（ｂ）は、ネジ回用セット具１の説明図で、ネジ回用用具の平面図（一部透過図）、図３（ｃ）は、ビットにネジ回用用具が取り付けられた様子を示すビット及びネジ回用用具の平面図（一部透過図）である。尚、図３（ｂ）（ｃ）における点線は、ネジ回用用具の内部構造の輪郭を示す。
[ビット４]
本実施形態のネジ回用セット具１で用いられるビット４は、電動式のドライバで用いられる交換式のネジ回具であって、図３（ａ）に示すように、円柱状に形成されたシャフト４０の長手方向の先端に、シャフト４０と同じ太さのネジ穂先４２を備えている。また、ビット４は、シャフト４０の長手方向の後端に、シャフト４０と同軸でシャフト４０より径の大きな形状に形成された六角ナット状の大径部４４を備えている。この大径部４４は、電動式ドライバの本体に、ビット４を固定するためのものである。
[ネジ回用用具６]
本実施形態のネジ回用セット具１を構成するネジ回用用具６は、図３（ｂ）に示すように、筒状に形成されている。そして、このネジ回用用具６の内部には、この筒の軸方向の一端側から他端側に向かって順に、ネジ１００のヘッド部１０１を嵌挿可能な第１筒部６０、ネジ穂先４２及びシャフト４０を嵌挿可能な第３筒部６４が形成されている。このうち第３筒部６４は、第１筒部６０と同軸で第１筒部６０よりも径が小さい形状に形成されている。そして、このネジ回用用具６では、これら各筒部６０、６４が直列かつ同軸状に形成されて、ネジ回用用具５の内部空間を形成している。また、ネジ回用用具６は、各筒部６０、６４の境界部分の内部壁面に段差６６が形成されている。
【００３１】
また、このネジ回用用具６は、図３（ｃ）に示すように、ビット４のネジ穂先４２及びシャフト４０が他端側から嵌挿され、ネジ穂先４２の先端が一端側の第１筒部６０に嵌挿されたネジ１００のヘッド部１０１のスリワリ１０２に対しネジ穂先４２の先端が噛み合った時に位置する嵌挿位置に達したときに、他端側の端部が大径部４４に当接してシャフト４０の一端側への進入を規制可能な大きさに形成されている。
[作用効果]
このネジ回用用具６は、他端側から嵌挿されたシャフト４０を、一端側に嵌挿されたネジ１００のヘッド部１０１のスリワリ１０２に対しネジ穂先４２の先端が噛み合ったときに位置する嵌挿位置まで嵌挿可能に形成されているので、ビット４に取り付けられるときは、シャフト４０が嵌挿位置に位置するように取り付けられる。そして、このネジ回用用具６が取り付けられたビット４のネジ穂先の先端にネジ１００を当てると、ネジ１００のヘッド部１０１がネジ回用用具６に嵌挿されるとともに、ネジ１００のスリワリ１０２がネジ穂先４２の先端に嵌挿位置で噛み合わされ、ネジ１００は、ビット４によりネジ１００を回す作業が可能な状態でネジ穂先４２の先端に保持される。そのため、このネジ回用用具６が取り付けられたビット４を用いれば、ネジ１００に指を添えなくても、ネジ１００を落下させることなくネジ止めあるいはネジ外し作業を行うことができる。
【００３２】
従って、このネジ回用用具６を用いると、ビット４を用いた場合でも、作業者は、ネジ止め及びネジ外し作業を効率的に行うことができる。
次に、ネジ回用用具６は、シャフト４０の長手方向の後端にシャフト４０より太い大径部４４を備えているビット４のシャフト４０が嵌挿位置に達したときに、他端側の端部が大径部４４に当接して、シャフト４０の一端側への進入を規制可能な大きさに形成されている。
【００３３】
このネジ回用用具６は、他端側の端部が大径部４４に当接する位置までシャフト４０を挿入するだけで、シャフト４０が嵌挿位置に配置されるように、ビット４に取り付けることができる。
【００３４】
尚、ビット４が、本発明のネジ回具に相当する。
以上本発明の一実施形態ついて説明したが、本発明はこの実施形態に何等限定されるものではなく、本発明の要旨を逸脱しない範囲において、種々なる態様で実施し得ることは勿論である。
【００３５】
例えば、上記第２実施形態では、第１実施形態で記載したセット補助具７については記載していないが、第２実施形態でも、同様のセット補助具を備えていても良い。
上記第１実施形態では、セット補助具７として、台紙７２を用いたものを記載したが、調整具７０がネジ回用用具５に対し噛合位置に達する位置まで嵌挿されたときに、ネジ回用用具５の一端側の端部に当接可能な大きさに少なくとも形成された台座部であればどのようなものでもよい。
【００３６】
ネジ回用用具５、６は外周側面は、内部の形状が上記実施形態のような構造を有するのであれば、どのように形成されていてもよい。
噛合位置にネジ穂先３２，４２の先端が達したときに、シャフト３０，４０の一端側への進入を規制する形状としては、ネジ回用用具５，６の内壁面に突起が設けられた形状としてもよいし、どのように形成してもよい。
【００３７】
上記第１実施形態のネジ回用用具５は、ネジ穂先３２の先端が噛合位置に達したときに、他端側の端部が把持部３４に当接してシャフト３０の一端側への進入を規制可能な大きさに形成されていてもよい。
【図面の簡単な説明】
【００３８】
【図１】第１実施形態で用いられる太型ドライバの平面図（一部透過図）で、（ａ）は規格通りの太型ドライバにネジ回用セット具を構成するネジ回用用具が取り付けられた様子を示す説明図、（ｂ）は、ネジ穂先が規格よりも長い太型ドライバにネジ回用用具が取り付けられた様子を示す説明図である。
【図２】第１実施形態のネジ回用セット具１の平面図で、（ａ）はネジ回用用具の一部透過図、（ｂ）はネジ回用セット具を構成するセット補助具の説明図、（ｃ）（ｄ）はセット補助具をネジ回用用具に取り付けたネジ回用セット具の一部透過図である。
【図３】（ａ）は、第２実施形態で用いられるビットの平面図、（ｂ）は、第２実施形態のネジ回用用具の説明図で、ネジ回用用具の平面図（一部透過図）、（ｃ）は、ビットにネジ回用用具が取り付けられた様子を示すビット及びネジ回用用具の平面図（一部透過図）である。
【図４】ネジの斜視図である。
【符号の説明】
【００３９】
１…ネジ回用セット具、３…太型ドライバ、４…ビット、５…ネジ回用用具、６…ネジ回用用具、７…セット補助具、３０…シャフト、３２…ネジ穂先、３４…把持部、４０…シャフト、４２…ネジ穂先、４４…大径部、５０…第１筒部、５２…第２筒部、５４…第３筒部、５６…第１段差、５８…第２段差、６０…第１筒部、６４…第３筒部、７０…調整具、７２…台紙、１００…ネジ、１０１…ヘッド部、１０２…スリワリ
【図１】
2007296600.tif 000003
【図２】
2007296600.tif 000004
【図３】
2007296600.tif 000005
【図４】
2007296600.tif 000006